(57)【要約】      （修正有）【課題】鋳型が離型しやすいストロー一体型のコップの構造を提供する。【解決手段】主に一つのコップ本体及び一つの上蓋で構成する鋳型が離型しやすいストロー一体型のコップの構造である。コップは液体出口部３２の離型面を介し、収納室の射出成型オス型は直接離型面３２１から離型することで、液体出口部を成型する。コップのコップ本体と一体成型のストローは、簡単に射出成型離型できるほか、コップ本体１０の内部に固体或いは液体の飲み物がある際、ユーザーはストローの開口部から吸うことで、飲み物を飲むことができる。また、ホットドリンク開口を通じて、直接収納室内にある高温の飲み物を飲むことができる。便利性を具有し、経済性を兼ね備え、商業的にも応用できる斬新な構造である。【選択図】図２
0003225646.tif 000002
【実用新案登録請求の範囲】
【請求項１】
一つのコップ本体及び一つの上蓋を含み、
該コップ本体は一つのコップ外周面及び一つのコップ底面部を具有し、該コップ外周面は該コップ底面部を囲んで一つの収納室を形成し、該収納室の中心と定義される一つの中心軸ラインを有し、
該コップ外周面の外壁面と一体成型に一つの傾斜のストローを形成し、該ストローの上端には、口で吸える一つの頂部開口部を形成し、該頂部開口部の別端は該収納室の内側底部に延伸し、液体を吸引する一つの液体出口部を形成し、該液体出口部は、該収納室の該中心軸ラインと平行する離型面を形成し、
該上蓋の底面周辺には、該コップ本体の頂上縁と対応して接合する一つの嵌合部を形成し、且つ該コップ本体の開口端に蓋合し、頂上面の片側には一つのホットドリンク開口が開設されていることを特徴とする鋳型が離型しやすいストロー一体型のコップの構造。
【請求項２】
前記ストローとコップ外周面の間は、一つのリブを通じて互いに接続されていることを特徴とする請求項１記載の鋳型が離型しやすいストロー一体型のコップの構造。
【請求項３】
前記コップ本体の前記コップ底面部は、前記離型面と一つの角度θを呈し、該角度θは７５度から８９度であることを特徴とする請求項１記載の鋳型が離型しやすいストロー一体型のコップの構造。
【請求項４】
前記頂部開口部には対応して嵌められる一つの栓が設けられていることを特徴とする請求項１記載の鋳型が離型しやすいストロー一体型のコップの構造。
【請求項５】
前記上蓋から一つのストロー接続部が延伸して形成され、該ストロー接続部内には、前記頂部開口部と対応して連結する一つのストロー接続穴が設けられ、且つ前記ストロー接続穴の頂部から一つの上蓋飲み口が延伸して形成されていることを特徴とする請求項１記載の鋳型が離型しやすいストロー一体型のコップの構造。
【請求項６】
前記上蓋のホットドリンク開口の上に、剥がせるホットドリンク飲み口シールを貼ることを特徴とする請求項１記載の鋳型が離型しやすいストロー一体型のコップの構造。
【請求項７】
前記上蓋には、ミルク或いはシュガーを入れることのできるミルクシュガー開口が設けられていることを特徴とする請求項１記載の鋳型が離型しやすいストロー一体型のコップの構造。
【請求項８】
前記上蓋の前記ミルクシュガー開口の上に、剥がせるミルクシュガー開口シールを貼ることを特徴とする請求項７記載の鋳型が離型しやすいストロー一体型のコップの構造。
【考案の詳細な説明】
【技術分野】
【０００１】
本考案はコップの構造であって、特に鋳型が離型しやすいストロー一体型のコップの構造に関する。本考案は、コップ本体と一体成型したストローを使い、コップ内部の飲み物を飲む連結構造とし、且つ鋳型を離型しやすいデザインからなる離型面を具有し、便利性及び経済性を兼ね備え、商業的にも応用できる斬新な構造を備え、鋳型が離型しやすいストロー一体型のコップの構造に関する。
【背景技術】
【０００２】
従来の一般的なコップは、内部スペースに、ドリンク(固体状、液状の食物を含む)、或いは水などの液体を入れて、持ち運ぶために使われる。当該コップの内部スペースに入れたドリンク，水などの液体を飲む際には、ユーザーはコップ本体を口に近づける。このとき、口はコップの縁に触れる。このようにして、コップを用いて飲み物を飲むと、同時に顔が上を向くため、視線が上方に向く。したがって、例えば、ユーザーが運転中或いは集中力を必要とする仕事をしている場合であれば、危険性が増え、事故などの発生を招きかねない。
【０００３】
従来のエコストロー付きコップは、例えば中華民国特許申請案第Ｍ５７１６９９号などによって、種々の形態のものが開示されている。上記中華民国特許申請案第Ｍ５７１６９９号によって開示されている「一体成型のエコストロー付きコップ」は、従来のコップにストローを使用する場合において生じる環境への悪い要素を改善したが、製造過程において、プラスティック射出成型を用いているので、鋳型から離すのが困難であるという問題点がある。したがって、二次加工の方法としてストローをコップの内壁に付着させる工程が必要になるため、製造過程が相対的に複雑となり、二次加工に係る時間、生産コストが高くなる。そのため、コップ全体の経済効果が比較的低くなってしまうという問題点がある。
【０００４】
コンビニエンスストア或いはドリンク販売業者は、冷たい飲み物を販売する際には、プラスティックのシールドフィルムでコップの縁を閉じ、ストローを使ってプラスティックのフィルムを破き、ストローをコップの中に入れて冷たい飲み物を飲むという形態のものを提供している。一方、コンビニエンスストア或いはドリンク販売業者が温かい飲み物を販売する際には、いずれもコップ本体を傾けて、内部にある温かい飲み物を蓋の開口部から流れ出させ、ユーザーがその開口部に口を当てることで、当該開口部から流れ出る温かい飲み物を飲むという形態のものを提供している。上述のように、冷たいドリンクコップと温かいドリンクコップとでは、異なる使用方法となっているが、仮にコンビニエンスストア或いはドリンク販売業者が提供するコップが、単一のコップの蓋及びコップ本体を通じて、冷たい飲み物と温かい飲み物との両方に使える構造となっていれば、飲み物コップの共用性と通用性とを高めることができる。このことを鑑みて、本考案は案出されたものである。
【先行技術文献】
【特許文献】
【０００５】
【特許文献１】中華民国特許申請案第Ｍ５７１６９９号
【考案の概要】
【考案が解決しようとする課題】
【０００６】
前記公知構造の欠点を解決するため、本考案は鋳型が離型しやすいストロー一体型のコップの構造を提供することを主な課題とする。
【課題を解決するための手段】
【０００７】
上述の目的を解決するために、本考案は鋳型が離型しやすいストロー一体型のコップの構造を提供するものである。コップは一つのコップ本体及び一つの上蓋を具有し、該コップ本体は一つのコップ外周面及び一つのコップ底面部を具有し、該コップ外周面は該コップ底面部を囲んで一つの収納室を形成する。該収納室の中心と定義される一つの中心軸ラインがある。
【０００８】
該コップ外周面の外壁面と一体成型に一つの傾斜のストローを形成する。該ストローの上端には、口で吸える一つの頂部開口部を形成し、該頂部開口部の別端は該収納室の内側底部に延伸し、液体を吸引する一つの液体出口部を形成する。また、該液体出口部は、該収納室の該中心軸ラインと平行する離型面を形成する。
【０００９】
該上蓋の底面周辺には、該コップ本体の頂上縁と対応して接合する一つの嵌合部を形成し、且つ該コップ本体の開口端に蓋合する。また、頂上面の片側には一つのホットドリンク開口を開設する。
【００１０】
上述の構造を介し、コップの該コップ本体が該ストローと一体成型し、簡単に射出成型離型できるほか、該コップ本体の該収納室内に低温或いは常温の飲み物を入れた際、ユーザーは該ストローを通じて、該頂部開口部にて吸うことができることで、該液体出口部は低温或いは常温の飲み物を吸うことができる。また、該コップ本体の該収納室内に高温の飲み物を入れた際、ユーザーは該ホットドリンク開口を通じて直接飲むことができる。コップ全体の構造は、冷たい飲み物或いは温かい飲み物のどちらに用いたとしても、飲み物コップの共用性或いは通用性があり、飲用の便利性を増す。
【００１１】
本考案の鋳型が離型しやすいストロー一体型のコップの構造の次の目的は、該ストローとコップ外周面の間は、一つのリブを通じて互いに接続することで、該ストローはしっかりと該コップ外周面の外壁面に連結し、該ストローの構造強度を増す。
【００１２】
本考案の鋳型が離型しやすいストロー一体型のコップの構造の更に次の目的は、該コップ本体の該コップ底面部は、該離型面と一つの角度θを呈し、該角度θは７５度から８９度である。該収納室内にタピオカ或いは軟質の食べ物を入れた際には、該コップ底面部の傾斜を通じて、タピオカ或いは軟質の食べ物が液体出口の位置まで滑り、吸いやすい。
【００１３】
本考案の鋳型が離型しやすいストロー一体型のコップの構造の別の目的は、該頂部開口部は対応して一つの栓が嵌められて、異物が該頂部開口部内に入るのを防ぎ、該収納室の汚染源を減少する。
【００１４】
本考案の鋳型が離型しやすいストロー一体型のコップの構造のまたの目的は、該上蓋から一つのストロー接続部を延伸して形成し、該ストロー接続部内には、該頂部開口部と対応して連結する一つのストロー接続穴を具有する。且つ該ストロー接続穴の頂部から一つの上蓋飲み口を延伸して形成し、該上蓋飲み口を介して直接該コップ本体内の飲み物を吸うことで、便利に飲める目的に達する。
【００１５】
本考案の鋳型が離型しやすいストロー一体型のコップの構造の更に別の目的は、該上蓋のホットドリンク開口の上に、剥がせるホットドリンク飲み口シールを貼る。該上蓋には、ミルク或いはシュガーを入れることのできるミルクシュガー開口を設け、且つ該ミルクシュガー開口の上に、剥がせるミルクシュガー開口シールを貼ることで、異物が該収納室内に入るのを防ぎ、食べ物の汚染源を減少する。
【考案の効果】
【００１６】
本考案の構造により、ユーザーが飲み物を飲む際には、頭を上方に向けなくても、コップ内にある固体或いは液体を飲むことができ、また、コップ全体の構造は、冷たい飲み物或いは温かい飲み物のどちらにも用いることができ、飲み物コップの共用性或いは通用性があり、飲用の便利性を増す。
【図面の簡単な説明】
【００１７】
【図１】本考案の第一実施例の立体分解図である。
【図２】本考案のコップ本体の液体の出口部の立体略図である。
【図３】本考案の第一実施例の立体組立図である。
【図４】本考案の第一実施例の断面略図である。
【図５】本考案の第一実施例の断面操作図である。
【図６】本考案の第二実施例の立体分解図である。
【図７】本考案の第二実施例の立体組立図である。
【図８】本考案の第二実施例の断面操作図である。
【図９】本考案の第一実施例及び第二実施例に適用できる変形例であって、コップ底よりコップ底柱を延伸する形態を示す断面略図である。
【考案を実施するための形態】
【００１８】
以下、本考案の構造と特徴および効果を、最良実施例と図面を参照しながら詳細に説明する。
【実施例１】
【００１９】
図１から図５に示すのは、本考案の鋳型が離型しやすいストロー一体型のコップである。コップは一つのコップ本体１０及び一つの上蓋２０を具有する。該コップ本体１０は一つのコップ外周面１１及び一つのコップ底面部１２を具有し、該コップ外周面１１は該コップ底面部１２を囲んで一つの収納室１３を形成する。該収納室１３の中心と定義されるのが一つの中心軸ライン１３１である。
【００２０】
該コップ外周面１１の外壁面と一体成型に一つの傾斜のストロー３０を形成する。該ストロー３０の上端には、口で吸える一つの頂部開口部３１を形成し、及び該頂部開口部３１の別端は該収納室１３の内側底部に延伸し、液体を吸引する一つの液体出口部３２を形成する。また、該液体出口部３２は、該収納室１３の該中心軸ライン１３１と平行する離型面３２１を形成する。
【００２１】
該上蓋２０の底面周辺には、該コップ本体１０の頂上縁と対応して接合する一つの嵌合部２１を形成し、且つ該コップ本体１０の開口端に蓋合する。また、頂上面の片側には一つのホットドリンク開口２２が開設されている。ユーザーは、そこから該収納室１３内にあるホットドリンクを飲むことができる。
【００２２】
上記該ストロー３０とコップ外周面１１の間は、一つのリブ３３を通じて互いに接続することで、該ストロー３０はしっかりと該コップ外周面１１の外壁面に連結し、該ストロー３０の構造強度を増す。
【００２３】
その中、図４、図５及び図９に示すように、該コップ本体１０の該コップ底面部１２は、該離型面３２１と一つの角度θを呈し、該角度θは７５度から８９度である。該収納室１３内にタピオカ或いは軟質の食べ物を入れた際には、該コップ底面部１２の傾斜を通じて、タピオカ或いは軟質の食べ物が液体出口３２の位置まで滑り、吸いやすい。
【００２４】
最良実施例として、図１、図３、図４及び図５に示すように、該頂部開口部３１は対応して一つの栓４０が嵌められて、異物が該頂部開口部３１内に入るのを防ぎ、該収納室１３の汚染源を減少する。
【００２５】
続いて図１、図３に示すように、該上蓋２０のホットドリンク開口２２の上に、剥がせるホットドリンク飲み口シール２２１を貼る。該上蓋２０には、ミルク或いはシュガーを入れることのできるミルクシュガー開口２４を設け、且つ該ミルクシュガー開口２４の上に、剥がせるミルクシュガー開口シール２４１を貼ることで、異物が該収納室１３内に入るのを防ぎ、食べ物の汚染源を減少する。
【実施例２】
【００２６】
更に本考案の第二実施例として、図６、図７及び図８に示すように、該上蓋２０から一つのストロー接続部２３を延伸して形成し、該ストロー接続部２３内には、該頂部開口部３１と対応して連結する一つのストロー接続穴２３１を具有する。且つ該ストロー接続穴２３１の頂部から一つの上蓋飲み口２３２を延伸して形成し、該上蓋飲み口２３２を介して直接該コップ本体１０内の飲み物を吸うことで、便利に飲める目的に達する。
【００２７】
続いて図６、図７に示すように、該上蓋２０のホットドリンク開口２２の上に、剥がせるホットドリンク飲み口シール２２１を貼る。該上蓋２０には、ミルク或いはシュガーを入れることのできるミルクシュガー開口２４を設け、且つ該ミルクシュガー開口２４の上に、剥がせるミルクシュガー開口シール２４１を貼ることで、異物が該収納室１３内に入るのを防ぎ、食べ物の汚染源を減少する。
【００２８】
最後に図９に示すように、該コップ本体１０の該コップ底面部１２の底縁は、底部に向け、手で持ちやすいコップ底柱１４を延伸形成する。
【００２９】
詳細に説明すると、該ストロー３０の該液体出口部３２の離型面３２１は、該収納室１３の該中心軸ライン１３１と平行を呈すため、該収納室１３の射出成型オス型は直接該離型面３２１より離すことができ、該液体出口部３２を成型する。コップの該コップ本体１０が該ストロー３０と一体成型し、簡単に射出成型離型できるほか、該コップ本体１０の該収納室１３内に低温或いは常温の飲み物を入れた際(固体の食べ物或いは液体の食べ物、例えばコンニャク、フルーツ、スムージなど)、ユーザーは該ストロー３０を通じて、該頂部開口部３１にて吸うことができることで、該液体出口部３２は低温或いは常温の飲み物を吸うことができる。また、該コップ本体１０の該収納室１３内に高温の飲み物を入れた際、ユーザーは該ホットドリンク開口２２を通じて直接飲むことができる。コップ全体の構造は、冷たい飲み物或いは温かい飲み物のどちらに用いたとしても、飲み物コップの共用性或いは通用性があり、飲用の便利性を増すことが、本考案の便利性であり、経済性及び商業応用の斬新な構造である。
【００３０】
以上の実施例は本考案の最良実施例を用いて本考案の技術特長について具体的に説明した。本技術に熟知する者は、固定構造の変更などの適当な変更および調整を行うことができ、これらの変更および調整を行っても本考案の重要な意義は失われず、本考案の範囲に含まれる。
【符号の説明】
【００３１】
１０  コップ本体
１１  コップ外周面
１２  コップ底面部
１３  収納室
１３１  中心軸ライン
１４  コップ底柱
２０  上蓋
２１  嵌合部
２２  ホットドリンク開口
２２１  ホットドリンク飲み口シール
２３  ストロー接続部
２３１  ストロー接続穴
２３２  上蓋飲み口
２４  ミルクシュガー開口
２４１  ミルクシュガー開口シール
３０  ストロー
３１  頂部開口部
３２  液体出口部
３２１  離型面
３３  リブ
４０  栓
θ  コップ底面部と離型面角度
【図１】
0003225646.tif 000003
【図２】
0003225646.tif 000004
【図３】
0003225646.tif 000005
【図４】
0003225646.tif 000006
【図５】
0003225646.tif 000007
【図６】
0003225646.tif 000008
【図７】
0003225646.tif 000009
【図８】
0003225646.tif 000010
【図９】
0003225646.tif 000011